(57)【要約】【課題】板状部材の、互いの表面が当接する形で係止され、少なくとも一方がその当接部近傍で折り曲げられた２箇所の特定部分が、隙間を隔てて離れることなく当接状態を維持し続け、設計通りの形状を固く保持することが可能な緩衝包装材を提供する。【解決手段】板状部材を折り曲げて組み立てられた緩衝包装材１は、間に切り込み部５が設けられた隣接する２箇所の折り曲げ片６と、互いの表面が当接する形で切り込み部５に挿入、係止され、切り込み部５の先端部５ａに対応する箇所である折り目１３で折り曲げられた２箇所の係止部２とを備え、切り込み部５の長さと、係止部２の折り目１３と直角をなす方向の長さ、すなわち上下方向の長さとがほぼ同じ長さである。これにより、切り込み部５で２箇所の折り曲げ片６の間に挟み込まれることにより、２箇所の係止部２の、互いの当接表面が密着し易くなる。【選択図】図３
2010265019.tif 000002
【特許請求の範囲】
【請求項１】
板状部材を折り曲げるなどして組み立てられた緩衝包装材において、
間に切り込み部が設けられた隣接する２箇所の折り曲げ片と、互いの表面が当接する形で前記切り込み部に挿入、係止され、少なくとも一方が切り込み部の先端部に対応する箇所で折り曲げられた２箇所の係止部とを備え、
前記切り込み部の長さが、前記係止部の折り曲げ箇所と直角をなす方向の長さと少なくとも同じ長さであることを特徴とする緩衝包装材。
【請求項２】
前記２箇所の係止部の、前記切り込み部の先端部に対応する箇所が、互いに直角をなすように折り曲げられていることを特徴とする請求項１に記載の緩衝包装材。
【請求項３】
前記折り曲げ片を、矩形板状部材の外縁部の対向する二辺のうち少なくとも一辺に設けるとともに、この折り曲げ片を設けた辺に直交する他の外縁部の二辺の箇所を、内側に向かって複数箇所で折り曲げて、前記２箇所の係止部を形成したことを特徴とする請求項１または請求項２に記載の緩衝包装材。
【発明の詳細な説明】
【技術分野】
【０００１】
本発明は、被包装物である物品を包装するための包装箱の内部に配置される緩衝包装材に関する。
【背景技術】
【０００２】
画像形成装置や家庭用電化製品、そしてそれらを構成する機能部材や電子部品等の物品は、通常段ボールなどで構成される包装箱によって包装され、出荷されている。包装箱は、被包装物である物品を段ボール製の箱にすっぽりと収容する形のものが多い。搬送時の衝撃から被包装物を保護するために、緩衝包装材を介して包装箱に被包装物を収容する場合も多い。
【０００３】
単一の包装箱に複数の被包装物を収容したり、包装箱と被包装物との間に間隙を設けて収容したりする場合には、包装箱の内部に、緩衝包装材が配置される。この緩衝包装材は、包装箱内の複数の被包装物が互いに衝突したり、包装箱が衝撃を受けて被包装物が大きく移動し、内壁に衝突したりしないように、緩衝作用をもたらすものである。このようにして緩衝包装材は、包装箱内に収容された被包装物を破損から保護している。
【０００４】
上記のような緩衝包装材の一例を、特許文献１に見ることができる。特許文献１に記載された段ボール製緩衝材（緩衝包装材）は、１枚の板状の段ボールに対して、その外縁部の対向する二辺の箇所を内側に向かって複数箇所で折り曲げることにより、底面部に対して上方に向かって起立し、対向する２箇所の緩衝箱体を形成している。
【先行技術文献】
【特許文献】
【０００５】
【特許文献１】実用新案登録第２５９５３８１号公報（第２−３頁、図１）
【発明の概要】
【発明が解決しようとする課題】
【０００６】
特許文献１に記載された段ボール製緩衝材（緩衝包装材）の緩衝箱体は、底面部に形成された差込片を、対応する差込部に挿通することより固定され、緩衝作用が期待できる矩形断面の筒形箱体として形成されている。しかしながら、複数箇所で折り曲げて緩衝箱体を形成しても、段ボール材は、その弾性によってもとの板状に戻ろうとする性質があるので、差込片の箇所において、底面部とその近傍の緩衝箱体の折り曲げ部との間で隙間ができる恐れがある。また、これにより、２箇所の緩衝箱体が歪み、互いに外側に倒れるような形で傾斜する可能性もある。したがって、緩衝箱体の形成に安定性を欠くとともに、包装の作業効率を低下させることが懸念される。
【０００７】
本発明は上記の点に鑑みなされたものであり、包装箱の内部に配置される、板状部材を折り曲げるなどして組み立てられた緩衝包装材において、互いの表面が当接する形で係止され、少なくとも一方がその当接部近傍で折り曲げられた２箇所の特定部分が、隙間を隔てて離れることなく当接状態を維持し続け、設計通りの形状を固く保持することが可能な緩衝包装材を提供することを目的とする。
【課題を解決するための手段】
【０００８】
上記の課題を解決するため、板状部材を折り曲げるなどして組み立てられた緩衝包装材において、間に切り込み部が設けられた隣接する２箇所の折り曲げ片と、互いの表面が当接する形で前記切り込み部に挿入、係止され、少なくとも一方が切り込み部の先端部に対応する箇所で折り曲げられた２箇所の係止部とを備え、前記切り込み部の長さが、前記係止部の折り曲げ箇所と直角をなす方向の長さと少なくとも同じ長さであることとした。
【０００９】
また、上記構成の緩衝包装材において、前記２箇所の係止部の、前記切り込み部の先端部に対応する箇所が、互いに直角をなすように折り曲げられていることとした。
【００１０】
また、上記構成の緩衝包装材において、前記折り曲げ片を、矩形板状部材の外縁部の対向する二辺のうち少なくとも一辺に設けるとともに、この折り曲げ片を設けた辺に直交する他の外縁部の二辺の箇所を、内側に向かって複数箇所で折り曲げて、前記２箇所の係止部を形成することとした。
【発明の効果】
【００１１】
本発明の構成によれば、板状部材を折り曲げるなどして組み立てられた緩衝包装材において、間に切り込み部が設けられた隣接する２箇所の折り曲げ片と、互いの表面が当接する形で前記切り込み部に挿入、係止され、少なくとも一方が切り込み部の先端部に対応する箇所で折り曲げられた２箇所の係止部とを備え、前記切り込み部の長さが、前記係止部の折り曲げ箇所と直角をなす方向の長さと少なくとも同じ長さであることとしたので、切り込み部で２箇所の折り曲げ片の間に挟み込まれることにより、２箇所の係止部の、互いの当接表面が密着し易くなる。これにより、２箇所の係止部が離間するのを防止することができ、形状を安定させることが可能である。したがって、２箇所の係止部が、隙間を隔てて離れることなく当接状態を維持し続け、設計通りの形状を固く保持することが可能な緩衝包装材を提供することができる。
【００１２】
また、前記２箇所の係止部の、前記切り込み部の先端部に対応する箇所が、互いに直角をなすように折り曲げられていることとしたので、折り曲げ箇所の外側において、段差ができたり、傾斜したりすることのないフラットな平面を形成することができる。したがって、この平面を固く保持することができ、包装箱の内側面などに密着させることが可能な緩衝包装材を提供することができる。
【００１３】
また、前記折り曲げ片を、矩形板状部材の外縁部の対向する二辺のうち少なくとも一辺に設けるとともに、この折り曲げ片を設けた辺に直交する他の外縁部の二辺の箇所を、内側に向かって複数箇所で折り曲げて、前記２箇所の係止部を形成することとしたので、形状が安定した設計通りの筒形箱体を形成し、その形状を固く保持することが可能である。これにより、包装箱の内部に緩衝包装材を配置するにあたって、精度良く配置でき、作業効率が高められた緩衝包装材を提供することができる。
【図面の簡単な説明】
【００１４】
【図１】本発明の実施形態に係る緩衝包装材全体の斜視図である。
【図２】図１に示す緩衝包装材の正面やや下方から見た斜視図（パース）である。
【図３】図１に示す緩衝包装材の正面図である。
【図４】図１に示す緩衝包装材の展開図である。
【図５】図３と同様の緩衝包装材の正面図にして、折り曲げ片を折り曲げる前の状態を示すものである。
【図６】図１と同様の緩衝包装材の部分拡大斜視図にして、折り曲げ片を折り曲げる前の状態を示すものである。
【発明を実施するための形態】
【００１５】
以下、本発明の実施形態に係る緩衝包装材について、図１〜図６に基づき、その構成を説明する。
【００１６】
図１は緩衝包装材全体の斜視図、図２は緩衝包装材の正面やや下方から見た斜視図（パース）、図３は緩衝包装材の正面図、図４は緩衝包装材の展開図である。図５は図３と同様の緩衝包装材の正面図にして、折り曲げ片を折り曲げる前の状態を示すもの、図６は図１と同様の緩衝包装材の部分拡大斜視図にして、折り曲げ片を折り曲げる前の状態を示すものである。
【００１７】
緩衝包装材１は、図１〜図３に示すように、その外形が略直方体形状をなし、横に倒した角形筒状の箱体として形成されている。緩衝包装材１の正面及び背面は、開口されている。そして、緩衝包装材１は、その内部に、左右方向略中央部に設けられた係止部２を仕切りとして、左右２箇所の緩衝空間Ｓ１、Ｓ２を備えている。これら緩衝空間Ｓ１、Ｓ２が衝撃を吸収する。
【００１８】
緩衝包装材１を展開すると、図４に示す展開図となる。緩衝包装材１は、展開した状態において略矩形の板状をなす部材であって、段ボールで構成されている。
【００１９】
緩衝包装材１は、矩形をなすその底面部３の左右両端部の箇所に各々、前後方向に延びる折り目１１を備えている。さらに、折り目１１の左右両外側には、折り目１２〜１４が設けられている。緩衝包装材１は、図１〜３に示すように、折り目１１でその外側部分を略垂直上方に折り曲げ、さらに折り目１２で内側に向かって略水平になるように折り曲げ、さらに折り目１３で略垂直下方に向かって折り曲げ、さらに折り目１４で外側に向かって略水平になるように折り曲げられる。折り目１４より外側の端部平面部４は、底面部３の上面側に重ねられている。これより、横に倒した角形筒状の緩衝空間Ｓ１、Ｓ２が形成される。
【００２０】
底面部３の左右方向略中央部であって、緩衝包装材１の正面側及び背面側の外縁部の箇所には各々、切り込み部５が備えられている。切り込み部５は、外縁部から内側に向かって所定長さで設けられている。
【００２１】
そして、この切り込み部５を間に挟む形にして左右方向に並べて、隣接する２箇所の折り曲げ片６が備えられている。折り曲げ片６は、正面及び背面の縁部と平行に左右方向に延びる折り目６ａ（図２〜図４参照）で、上方に向かって折り曲げられている（図５及び図６参照）。なお、折り曲げ片６の上方の、端部平面部４の折り曲げ片６に対応する箇所には、切り欠き部７が設けられている。切り欠き部７は、折り曲げ片６とほぼ同じ形状、同じ大きさで段ボールを切り欠いて形成されている。
【００２２】
係止部２は、図３に示すように、緩衝包装材１の左右方向略中央部であって、底面部３の切り込み部５に対応する箇所に備えられている。係止部２は、左右の折り目１２で内側に向かって略水平になるように折り曲げられた段ボールを、各々さらに折り目１３で略垂直下方に向かって折り曲げることにより、互いの表面が当接する形で２箇所設けられている。２箇所の係止部２は、互いの表面が当接する形で切り込み部５に挿入され、２箇所の折り曲げ片６で挟み込むようにして係止されている。
【００２３】
そして、切り込み部５の先端部５ａに対応する箇所に、係止部２の折り曲げ箇所である折り目１３が位置するとともに、切り込み部５の長さと、係止部２の折り目１３と直角をなす方向の長さ、すなわち上下方向の長さとがほぼ同じ長さである。
【００２４】
上記のように、板状部材を折り曲げて組み立てられた緩衝包装材１は、間に切り込み部５が設けられた隣接する２箇所の折り曲げ片６と、互いの表面が当接する形で切り込み部５に挿入、係止され、切り込み部５の先端部５ａに対応する箇所である折り目１３で折り曲げられた２箇所の係止部２とを備え、切り込み部５の長さと、係止部２の折り目１３と直角をなす方向の長さ、すなわち上下方向の長さとがほぼ同じ長さであるので、切り込み部５で２箇所の折り曲げ片６の間に挟み込まれることにより、２箇所の係止部２の、互いの当接表面が密着し易くなる。これにより、２箇所の係止部２が離間するのを防止することができ、形状を安定させることが可能である。したがって、２箇所の係止部２が、隙間を隔てて離れることなく当接状態を維持し続け、設計通りの形状を固く保持することが可能な緩衝包装材１を提供することができる。
【００２５】
また、２箇所の係止部２の、切り込み部５の先端部５ａに対応する箇所が、互いに直角をなすように折り曲げられているので、折り曲げ箇所である折り目１３の外側において、段差ができたり、傾斜したりすることのないフラットな平面８（図１〜図３参照）を形成することができる。したがって、この平面８を、固く保持することができ、包装箱の内側面などに密着させることが可能な緩衝包装材１を提供することができる。
【００２６】
そして、折り曲げ片６を、矩形板状部材の外縁部の対向する二辺（正面側及び背面側）に設けるとともに、この折り曲げ片６を設けた辺に直交する他の外縁部の二辺（左右両端側）の箇所を、内側に向かって複数箇所で折り曲げて、２箇所の係止部２を形成したので、形状が安定した設計通りの筒形箱体を形成し、その形状を固く保持することが可能である。これにより、包装箱の内部に緩衝包装材１を配置するにあたって、精度良く配置でき、作業効率が高められた緩衝包装材１を提供することができる。
【００２７】
以上、本発明の実施形態につき説明したが、本発明の範囲はこれに限定されるものではなく、発明の主旨を逸脱しない範囲で種々の変更を加えて実施することができる。
【００２８】
例えば、折り曲げ片は、板状部材の外縁部のみに形成されるわけではなく、外縁部より内側の、中央部寄りの箇所に形成しても構わない。
【産業上の利用可能性】
【００２９】
本発明は、被包装物である物品を包装するための包装箱の内部に配置される緩衝包装材全般において利用可能である。
【符号の説明】
【００３０】
１    緩衝包装材
２    係止部
３    底面部
５    切り込み部
５ａ  先端部
６    折り曲げ片
１１〜１４  折り目
【図１】
2010265019.tif 000003
【図２】
2010265019.tif 000004
【図３】
2010265019.tif 000005
【図４】
2010265019.tif 000006
【図５】
2010265019.tif 000007
【図６】
2010265019.tif 000008